(57)【要約】【課題】適用される着用物品の所望の領域、例えば使い捨ておむつの股間部での吸収能力を高めることが可能な吸収シートを提供する。【解決手段】  第１シート（１）と第２シート（２）との間にあって、周囲が区画された第１空間領域内に吸収ポリマーが設けられており、  前記第１空間領域（１０）に、第１シート（１）と第２シート（２）との接合による抵抗部（４）が形成されており、前記抵抗部（４）は、前記第１空間領域（１０）における吸収ポリマーの重力移動の抵抗を高めているものである。【選択図】図１
2019063128.tif 000002
【特許請求の範囲】
【請求項１】
第１シートと第２シートとの間にあって、周囲が区画された第１空間領域内に吸収ポリマーが設けられており、
前記第１空間領域に、第１シートと第２シートとの接合による抵抗部が形成されており、前記抵抗部は、前記第１空間領域における吸収ポリマーの重力移動の抵抗を高めているものである、
ことを特徴とする吸収シート。
【請求項２】
前記抵抗部は、平面視で第１方向と角度が交差する線状又は点線状である請求項１記載の吸収シート。
【請求項３】
平面視で第１方向と角度が交差する線状又は点線状の前記抵抗部が、前記第１方向に間隔を置いて複数設けられて抵抗部列が構成され、
前記第１空間領域内において、前記第１方向と交差する第２方向に離れて対になった抵抗部列が形成されている請求項１記載の吸収シート。
【請求項４】
一方の抵抗部列の抵抗部の一方の先端と他方の抵抗部列の抵抗部の対向する他方の先端が、前記第１方向に交互に位置して配置され、かつ、一方の抵抗部列の抵抗部の先端と他方の抵抗部列の抵抗部の他方の先端部との間に、吸収ポリマーが通過可能な離間部を有する請求項３記載の吸収シート。
【請求項５】
前記抵抗部列における前記抵抗部と、前記第１空間領域の区画部との間に吸収ポリマーが通過可能な離間部を有する請求項３記載の吸収シート。
【請求項６】
前記抵抗部列における前記抵抗部の先端に鈎部を有する請求項３記載の吸収シート。
【請求項７】
前記第１空間領域が、前記第１空間領域における吸収ポリマーが重力移動する第１方向と交差する第２方向に、間隔を置いて複数形成されている請求項１記載の吸収シート。
【請求項８】
前記第１空間領域群の前記第２方向の離間部に、周囲が区画された第２空間領域が形成され、前記第２空間領域は、前記第１方向に複数区画されており、各区画領域内に吸収ポリマーが設けられている請求項７記載の吸収シート。
【請求項９】
前記第１シートと前記第２シートとの間に、周囲の区画用部材を設け、この区画用部材内が吸収ポリマーの第１空間領域とされ、前記第１シートと前記第２シートとは、前記区画用部材を挟んで接合されている請求項１記載の吸収シート。
【請求項１０】
請求項１の前記吸収シートは、透液性シートと不透液性シートとの間に配置されていることを特徴とする使い捨て着用物品。
【請求項１１】
前記抵抗部は、平面視で、着用物品の前後方向と角度が交差する線状又は点線状である請求項１０記載の使い捨て着用物品。
【発明の詳細な説明】
【技術分野】
【０００１】
本発明は、吸収ポリマーとシートとを含む吸収シート、並びにこの吸収シートを含む各種使い捨ておむつなどの使い捨て着用物品に関するものである。
【背景技術】
【０００２】
パンツタイプ、テープタイプ、パッドタイプなどの各種使い捨ておむつ、生理用ナプキン、軽失禁用シートなどの吸収性物品に高吸収性ポリマー、通常、ＳＡＰとよばれるポリマーが使用される。
このＳＡＰはパルプ層内に分散又は表面に設ける場合のほか、シートと組み合せることが行われている。
【０００３】
先行する特許文献１には、着用者の体の動きに伴い吸収ポリマーがおむつの幅方向の一端から他端に亘って自由に移動でき、備えられた吸収ポリマーを効率よく活用することができる構造が提案されている。
すなわち、上面シート、下面シートとこれらの間に吸収ポリマーとを有する吸収シートであり、周辺が接合部で囲まれた、平面視で長軸方向と短軸方向を有する形状の複数のポケットを有し、吸収ポリマーがポケットの長軸方向に移動可能に配されている構造である。
【０００４】
しかし、特許文献１にものでは、ポケット内を吸収ポリマーが自由に移動するので、例えば使い捨ておむつにおける、寝返りにより体位を左右に変換する場合の対策としは有効であるとしても、所望の領域、たとえば股間部での吸収能力を高めることに対しては効果的とは考えられない。
【先行技術文献】
【特許文献】
【０００５】
【特許文献１】特許５０７２５５７号公報
【発明の概要】
【発明が解決しようとする課題】
【０００６】
そこで本発明の主たる課題は、製品に適用されたとき、対象領域全体として、吸収能力の過度の偏在を抑制でき、もって吸収能力が高めることにある。
【課題を解決するための手段】
【０００７】
上記課題を解決した本発明の吸収シートは、
第１シートと第２シートとの間にあって、周囲が区画された第１空間領域内に吸収ポリマーが設けられており、
前記第１空間領域に、第１シートと第２シートとの接合による抵抗部が形成されており、前記抵抗部は、前記第１空間領域における吸収ポリマーの重力移動の抵抗を高めているものである。
【０００８】
第１空間領域に、第１シートと第２シートとの接合による抵抗部が形成されており、前記抵抗部は、前記第１空間領域における吸収ポリマーの重力移動の抵抗を高めているものであるから、この吸収シートを着用物品に適用した場合、着用者の姿勢が吸収ポリマーの重力移動をもたらすとしても、抵抗部によりポリマーの重力移動の抵抗が高まるので、重力移動の下方側の一方にポリマーが偏在することを防止でき、第１空間領域全体としてポリマーが分散した状態で体液を吸収できるから、吸収能力の低下を防止できる。
例えば使い捨ておむつの前後方向を、吸収ポリマーの重力移動方向として適用した場合、立位の姿勢では股間部にポリマーの重力移動によって偏在する傾向が生じるが、抵抗部によりポリマーの重力移動の抵抗が高まるので、吸収シートの全体で体液を吸収でき、所期の吸収能力の発揮が可能である。
【０００９】
抵抗部は、平面視で第１方向と角度が交差する線状又は点線状とすることができ、また、抵抗部は、第１方向に間隔を置いて複数設けて抵抗部列を構成することができる。
抵抗部を複数設けることにより、抵抗効果が大きくなる。
【００１０】
抵抗部列についても複数列形成することができる。すなわち、第１空間領域内において、第１方向と交差する第２方向（２）に離れて対になった抵抗部列を形成できる。
【００１１】
かかる形態において、一方の抵抗部列の抵抗部の一方の先端と他方の抵抗部列の抵抗部の対向する他方の先端が、前記第１方向に交互に位置して配置され、かつ、一方の抵抗部列の抵抗部の先端と他方の抵抗部列の抵抗部の他方の先端部との間に、吸収ポリマーが通過可能な離間部を形成できる。
その結果、吸収ポリマーは、一方の抵抗部列の抵抗部に沿って下方に移動し、その後、他方の抵抗部列の抵抗部上に乗り移り、他方の抵抗部列の抵抗部に沿って下方に移動する。これを繰り返して、重力作用方向に移動する。
このように移動方向の向きを交互に変えることにより、抵抗部による抵抗効果が大きくなり、ポリマーの偏在防止効果が高くなる。
【００１２】
抵抗部列における前記抵抗部と、第１空間領域の区画部との間に吸収ポリマーが通過可能な離間部を形成できる。
抵抗部における、第１空間領域の区画部側では、吸収ポリマーの移動のデッドゾーンになりがちである。
しかるに、抵抗部と第１空間領域の区画部との間に、吸収ポリマーが通過可能な離間部を形成すると、デッドゾーンの生成を抑制しながら吸収ポリマーの移動を図ることができる。
【００１３】
抵抗部の先端に鈎部を形成すると、その鈎部が吸収ポリマーの移動を抑制できる。
【００１４】
第１空間領域が、前記第１空間領域における吸収ポリマーが重力移動する第１方向と交差する第２方向に、間隔を置いて複数形成されていると、吸収シート全体としての抵抗性が高まる。
すなわち、大きな空間内に抵抗部を設ける場合より、小さな空間を多く形成し、これらの小さな空間に抵抗部を形成することにより、吸収シート全体としての抵抗性が高まる。
【００１５】
本発明は、第１シートと前記第２シートとを直接接合する場合のほか、第１シートと第２シートとの間に、周囲の区画用部材を設け、この区画用部材内が吸収ポリマーの第１空間領域とし、前記第１シートと前記第２シートとを、前記区画用部材を挟んで接合する場合なども含む。
製造方法を考えた場合、例えば第１シートに吸収ポリマーを散布した後、第２シートで覆い、区画用接合を図ることができる。この場合、第１シートと第２シートとの間に吸収ポリマーの介在し、接合を困難にさせる可能性があるのに対し、区画用部材を介在させると、区画用部材により吸収ポリマーの第１空間領域を区画化でき、第１シート及び第２シート相互の結合が容易かつ確実となる利点が期待できる。
【００１６】
上記吸収シートは、透液性シートと不透液性シートとの間に配置して、使い捨て着用物品を構成できる。
【００１７】
この場合、着用物品、例えば使い捨ておむつの前後方向と吸収ポリマーの重力移動方向と一致させると、吸収能力がより高いことが望まれる股間部に吸収ポリマーを移動させることができるので、着用物品としての吸収能力を高めることができる。
【発明の効果】
【００１８】
以上の通り本発明によれば、製品に適用されたとき、対象領域全体として、吸収能力の過度の偏在を抑制でき、もって吸収能力が高めることができる。
【図面の簡単な説明】
【００１９】
【図１】吸収シート全体を示すもので、（ａ）は第１シートを透視して抵抗部を示した平面図、（ｂ）は概略縦断面図、（ｃ）は横断面図である。
【図２】吸収シートの空間領域の平面図である。
【図３】吸収シートの空間領域の平面図である。
【図４】吸収シートの空間領域の平面図である。
【図５】吸収シートの空間領域の平面図である。
【図６】吸収シートの空間領域の平面図である。
【図７】吸収シートの空間領域の平面図である。
【図８】他の態様を示したもので、（ａ）は区画用部材の平面図、（ｂ）は区画用部材を介在させた吸収シートの横断面図である。
【図９】アウター内設置タイプ使い捨ておむつの展開状態の表面側を示す平面図である。
【図１０】アウター内設置タイプ使い捨ておむつの展開状態の裏面側を示す平面図である。
【図１１】図９のＡ−Ａ断面図である。
【図１２】図９のＢ−Ｂ断面図である。
【図１３】図９のＣ−Ｃ断面図である。
【発明を実施するための形態】
【００２０】
上記課題を解決した本発明の吸収シートＡＳの具体例は、図１及び図２に示すように、第１シート１と第２シート２との間にあって、周囲の区画部３により区画された第１空間領域１０内に吸収ポリマーが設けられている。
第１空間領域１０には、例えば不織布からなる第１シート１と例えば不織布又は液不透過性シートからなる第２シート２との例えばホットメルト接着剤により接合した抵抗部４が形成されており、抵抗部４は、第１空間領域１０における吸収ポリマーの重力移動の抵抗を高めているものである。
【００２１】
第１空間領域１０に、第１シート１と第２シート２との接合による抵抗部４が形成されており、図示のように、吸収ポリマー５が、抵抗部４の存在によって、図１の上下方向（第１方向（１））に直線的に重力移動することが抑制又は抵抗されるようになっている。
すなわち、吸収ポリマー５は、上下方向（第１方向（１））抵抗部４の列が左右一対形成された、一方の列の抵抗部４に沿って移動し傾斜して流れ、その下流端で、他方の列の抵抗部４に乗り移り、その抵抗部４に沿って上下方向（第１方向（１））に移動する。
このように、傾斜した抵抗部４を交互に渡りながら流れて行く。
【００２２】
抵抗部４は、第１空間領域１０において、直線的な重力移動を阻止し、重力移動方向（第１方向（１））の抵抗体となる。
その結果、この吸収シートを着用物品に適用した場合、着用者の姿勢によって吸収ポリマーの重力移動が生じたとしても、抵抗部によりポリマーの重力移動の抵抗が高まるので、重力移動の下方側の一方にポリマーが偏在することを防止でき、もって、第１空間領域１０全体として吸収ポリマーが過度に偏在することなく分散した状態で体液を吸収できるから、吸収能力の低下を防止できる。
例えば使い捨ておむつの前後方向を、吸収ポリマーの重力移動方向（第１方向（１））（図１の前後方向ＢＦ）として適用した場合、立位の姿勢では股間部にポリマーの重力移動によって集中し偏在する傾向が生じるが、抵抗部４により吸収ポリマーの重力移動の抵抗が高まるので、吸収ポリマーが分散するようになり、吸収シートの全体で体液を吸収できるから、所期の吸収能力の発揮が可能である。
【００２３】
抵抗部４は、図面に示すように、平面視で第１方向（１）（図面の上下方向）と角度が交差する線状又は点線状とすることができ、また、抵抗部４は、第１方向（１）に間隔を置いて複数設けて抵抗部列を構成することが特に好ましい。
抵抗部４を複数設けることにより、抵抗効果が大きくなる。
【００２４】
抵抗部の列は複数形成することができる。すなわち、例えば図１に示すように、第１空間領域１０内において、第１方向（１）と交差する第２方向（２）（幅方向ＷＤ）に離れて対になった左右の抵抗部列を形成できる。
【００２５】
かかる形態において、図１及び図２が参照されるように、一方の抵抗部列の抵抗部４の一方の先端と他方の抵抗部列の抵抗部４の対向する他方の先端が、第１方向（１）に交互に位置して配置され、かつ、一方の抵抗部列の抵抗部４の先端と他方の抵抗部列の抵抗部４の他方の先端部との間に、吸収ポリマーが通過可能な離間部Ｓ１（図２参照）を形成できる。
その結果、吸収ポリマーは、一方の抵抗部列の抵抗部４に沿って下方に移動し、その後、他方の抵抗部列の抵抗部４上に乗り移り、他方の抵抗部列の抵抗部４に沿って下方に移動する。これを繰り返して、重力作用方向に移動する。
このように移動方向の向きを交互に変えることにより、抵抗部４による抵抗効果が大きくなり、吸収ポリマーの偏在防止効果が高くなる。
【００２６】
図３（ｂ）に示すように、抵抗部列における前記抵抗部４と、第１空間領域１０の区画部３との間に吸収ポリマーが通過可能な離間部Ｓ２を形成できる。
抵抗部４における、第１空間領域１０の区画部３側では、図３（ａ）に符号Ｓ３で示すような、吸収ポリマーの移動のデッドゾーンを生じがちとなる。
しかるに、抵抗部４と第１空間領域１０の区画部３との間に、吸収ポリマーが通過可能な離間部Ｓ２を形成すると、デッドゾーンの生成を抑制しながら吸収ポリマーの移動を図ることができる。
【００２７】
図３（ｃ）に示すように、抵抗部４の先端に鈎部４ａを形成すると、その鈎部４ａが吸収ポリマーの移動を抑制できる。
【００２８】
図３（ｄ）に示すように、抵抗部４の傾斜角度は、急傾斜の抵抗部４Ａを形成するなど、適宜選択できる。
【００２９】
抵抗部の形状は適宜選定でき、例えば図４（ａ）に示す山形の抵抗部４Ｂ、図４（ｂ）に示す先端部が傾斜した抵抗部４Ｃ、図４（ｃ）に示す円弧の抵抗部４Ｄとすることができる。
【００３０】
所定の面積に対して、一つの第１空間領域１０のみでもよいが、複数設けるのが望ましい。図１〜図７に示すように、第１空間領域１０を、吸収ポリマーが重力移動する第１方向（１）と交差する第２方向（２）に、間隔を置いて複数形成すると、吸収シート全体としての抵抗性が高まる。
すなわち、大きな空間内に抵抗部４を設ける場合より、小さな空間を多く形成し、これらの小さな空間に抵抗部４を形成することにより、吸収シート全体としての抵抗性が高まる。
必要ならば、第１方向（１）に間隔を置いて第１空間領域１０を複数設けることもできる。
【００３１】
図５は、第１空間領域１０を、吸収ポリマーが重力移動する第１方向（１）と交差する第２方向（２）に間隔を置いて複数形成するとともに、境界部６，６により区画された第２空間領域２０を設けたものである。
第２空間領域２０は、第１空間領域１０の移動特性が異なるもので、図示例における第２空間領域２０は、第１方向（１）に境界部６ａにより分離区画されたもので、各区画内に吸収ポリマーが配置されたものである。
図５例では、例えば姿勢の変化によって第１空間領域１０での吸収能力の変動が生じるにもかかわらず、第２空間領域２０では吸収能力の変動がない状態で体液を吸収できる。
【００３２】
ところで、図１に示すように、吸収シートを含む使い捨て物品を着用し、着用者の動きにより、吸収シートが第１方向（１）の一方の端部側が下方になるときと、他方の端部側が下方になるときとを繰り返したとしても、図１（ａ）の最も左方の第１空間領域１０に着目してみると、抵抗部４の向きが図示の態様では、吸収ポリマー５は、図面の上側から下側への移動量が多く、図面の下側から上側への移動量が少なくなる現象が生じる（移動量の相違は破線矢印の幅の大小であらわしている。）。
【００３３】
かかる現象を応用できる。例えば、図６に示すように、吸収シートのセンターＣに吸収ポリマーを多く、第１方向（１）の端部は少なく、しかし、センターＣへの過度の偏在は防止したい場合、図６に示す態様は好適である。
すなわち、着用者の股間部が、吸収シートのセンターＣに位置させた状態で着用する場合について次の現象が生じる。
図６の左方から右側にかけての第１空間領域１０，１０…群において、左方の第１空間領域１０では、下方側に吸収ポリマーの集中部Ｄが生じ、続く２番目の第１空間領域１０では、上方側に吸収ポリマーの集中部Ｄが生じ、これが交互に繰り返されると、全体としては、吸収ポリマーが吸収シートのセンターＣに集まる傾向があるが、センターＣに過度に偏在することはなく、吸収シート全体としてはセンターＣを挟んだ上下範囲に分散して集まるから、着用者の股間部全体で体液を吸収できるようになり、吸収能力が高いものとなる。
【００３４】
本発明の抵抗部は、線状のほか、図７の右側に示すように点線状のものでもよい。点の間隔は適宜選定できる。
【００３５】
本発明に係る第１シート１及び第２シート２の少なくとも一方は透液性である。両者を不織布として透液性とすることができる。他方の面は不液透過性のシートでもよい。すなわち各種公知の不織布、フィルムを用いることができる。例えば、スパンボンド不織布、メルトブローン不織布、サーマルボンド（エアスルー）不織布、スパンレース不織布、エアレイド不織布、ＰＥ，ＰＰ等の樹脂フィルム等を用いることができる。
吸収ポリマーの移動性を高めるにはスパンボンドのように長繊維を使用した表面が平滑な不織布が好ましく、移動性を抑えるにはエアスルーのように短繊維を使用した表面がラフな不織布が好ましい。
【００３６】
本実施形態の吸収ポリマーは、第１空間領域１０内で自由に移動し易いように、粒状であることが好ましい。また、吸収ポリマーの平均粒径は、第１シート１と第２シート２を構成する繊維の間又はフィルムのフィラーの間に入らないように、２００μｍ〜５００μｍであることが好ましい。
【００３７】
第１空間領域１０内の吸収ポリマー４の量としては、１０〜１００ｇ／ｍ2であることが好ましい。
【００３８】
吸収ポリマーは、吸収性物品に用いられる各種公知の吸収ポリマーを用いることができる。例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物 、ポリアクリル酸カリウム並びにポリアクリル酸セシウム等がある。
【００３９】
第１シート１及び第２シート２とを接合して区画部を形成する接合方法としては、いずれも公知の接合方法を利用することができる。例えば、超音波エンボス、熱エンボス、接着剤等を利用できる。特に超音波エンボスが好ましい。
【００４０】
接合方法としては、例えば第１シート１に吸収ポリマーを散布した後、第２シート２で覆い、各種の接合方法により区画用接合を図ることができる。
【００４１】
かかる接合方法では、第１シート１と第２シート２との間に吸収ポリマーの介在し、接合を困難にさせる可能性がある場合には、次の態様を使用してもよい。
すなわち、第１シート１と第２シート２とを直接接合する場合のほか、図８に示すように、第１シート１と第２シート２との間に、区画用部材７を設け、この区画用部材７内の切欠部７ａが吸収ポリマーの第１空間領域１０とし、第１シート１と第２シート２とを、記区画用部材７を挟んで接合する方法も使用できる。
区画用部材７を介在させると、区画用部材７により吸収ポリマーの第１空間領域１０を区画化でき、第１シート１及び第２シート２相互の結合が容易かつ確実となる利点が期待できる。
【００４２】
抵抗部の接合方法としては、例えば、超音波エンボス、熱エンボス、接着剤（例えばホットメルト接着剤）等を利用できる。特に超音波エンボスが好ましい。
【００４３】
本発明に係る吸収シートは、透液性シートと不透液性シートとの間に配置して、使い捨て着用物品を構成できる。
【００４４】
この場合、着用物品、例えば使い捨ておむつの前後方向と吸収ポリマーの重力移動方向と一致させると、吸収能力がより高いことが望まれる股間部に吸収ポリマーを移動させることができるので、着用物品としての吸収能力を高めることができる。
【００４５】
本発明に係る吸収シートを適用する着用物品としては、例えば、テープ式使い捨ておむつなどの展開型の使い捨ておむつ、パンツ型使い捨ておむつ、生理用ナプキン、パンティーライナー、失禁パッド等を挙げることができる。また、布おむつ又は使い捨ておむつなどのアウターの内面に設置して使用するアウター内設置タイプ（パッドタイプ）使い捨ておむつにも好適に用いることができる。
【００４６】
かかるアウター内設置タイプ（パッドタイプ）使い捨ておむつの構造例について説明する。
【００４７】
図９〜図１３は、アウター内設置タイプ（パッドタイプ）使い捨ておむつ（以下「パッドタイプおむつ」と称する）。２００を示している。このパッドタイプおむつ２００は、前後方向中央に対して前側に延在する腹側部分Ｆ１及び後側に延在する背側部分Ｂ１を有するものである。各部の寸法は適宜定めることができ、例えば、物品全長（前後方向長さ）Ｌ１は１５０〜４５０ｍｍ程度、全幅Ｗ１は１２０〜２００ｍｍ程度とすることができる。
【００４８】
パッドタイプおむつ２００は、液不透過性シート２１の内面と、透液性トップシート２２との間に、吸収シート２３が介在された基本構造を有している。必要に応じて、吸収シート２３はクレープ紙（図示せず）により包むことができる。また、吸収シート２３の形状は、相対的に前側の部分が後側の部分よりも幅広な帯状、あるいは長方形状、台形状等、適宜の形状とすることができる。
【００４９】
吸収シート２３の裏面側には、液不透過性シート２１が吸収シート２３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００５０】
液不透過性シート２１の外面（裏面）は、外装シート２５により覆われている。外装シート２５としては各種の不織布を用いることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
この外装シート２５は必要により設けなくともよい。
【００５１】
吸収シート２３の表面側は、透液性トップシート２２により覆われている。図示形態では透液性トップシート２２の側縁から吸収シート２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５２】
パッドタイプおむつ２００の前後方向両端部では、外装シート２５および透液性トップシート２２が吸収シート２３の前後端よりも前後両側にそれぞれ延在されて貼り合わされ、吸収シート２３の存在しないエンドフラップ部ＥＦが形成されている。
【００５３】
パッドタイプおむつ２００の両側部では、液不透過性シート２１が吸収シート２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収シート２３の存在しないサイドフラップ部ＳＦを構成している。これらを含め、素材の貼り合わせ部分は、ホットメルト接着剤、ヒートシール、超音波シールにより形成でき、図面では斜線模様で示されている。
【００５４】
これらエンドフラップ部ＥＦ及びサイドフラップ部ＳＦ以外の吸収体介在部分が、排泄物を保持する本体部を構成する。
【００５５】
ギャザーシート２４の素材としては、プラスチックシートやメルトブローン不織布を使用することもできるが、肌への感触性の点で、不織布にシリコーンなどにより撥水処理をしたものが好適に使用される。
【００５６】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００５７】
両ギャザーシート２４，２４は、幅方向外側の部分２４ｘが前後方向全体にわたり物品内面（図示形態ではトップシート２２表面および外装シート２５内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１２に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００５８】
そして、図１０〜図１３に示すように、パッドタイプおむつ２００の外装シート２５の裏面には、粘着剤層３０が設けられ、剥離可能に被覆する剥離シート３１を有する固定部が形成されている。
【００５９】
図示例では、固定部を前後方向に沿って連続的に設けているが、腹側部分Ｆ１及び背側部分Ｂ１のそれぞれに設けたり、いずれか一方のみに設けたりしても良い。固定部を複数設ける場合、腹側部分Ｆ１及び背側部分Ｂ１に各少なくとも一つは設けるのが好ましい。
【符号の説明】
【００６０】
ＡＳ…吸収シート、１…第１シート、２…第２シート、３…区画部、４、４Ａ〜４Ｄ…抵抗部、５…吸収ポリマー、６，６ａ…境界部、（１）…第１方向、（２）…第２方向、ＢＦ…前後方向、ＷＤ…幅方向、１０…第１空間領域、２０…第２空間領域。
【図１】
2019063128.tif 000003
【図２】
2019063128.tif 000004
【図３】
2019063128.tif 000005
【図４】
2019063128.tif 000006
【図５】
2019063128.tif 000007
【図６】
2019063128.tif 000008
【図７】
2019063128.tif 000009
【図８】
2019063128.tif 000010
【図９】
2019063128.tif 000011
【図１０】
2019063128.tif 000012
【図１１】
2019063128.tif 000013
【図１２】
2019063128.tif 000014
【図１３】
2019063128.tif 000015
【手続補正書】
【提出日】平成30年11月14日(2018.11.14)
【手続補正１】
【補正対象書類名】明細書
【補正対象項目名】全文
【補正方法】変更
【補正の内容】
【発明の詳細な説明】
【技術分野】
【０００１】
本発明は、吸収ポリマーとシートとを含む吸収シート、並びにこの吸収シートを含む各種使い捨ておむつなどの使い捨て着用物品に関するものである。
【背景技術】
【０００２】
パンツタイプ、テープタイプ、パッドタイプなどの各種使い捨ておむつ、生理用ナプキン、軽失禁用シートなどの吸収性物品に高吸収性ポリマー、通常、ＳＡＰとよばれるポリマーが使用される。
このＳＡＰはパルプ層内に分散又は表面に設ける場合のほか、シートと組み合せることが行われている。
【０００３】
先行する特許文献１には、着用者の体の動きに伴い吸収ポリマーがおむつの幅方向の一端から他端に亘って自由に移動でき、備えられた吸収ポリマーを効率よく活用することができる構造が提案されている。
すなわち、上面シート、下面シートとこれらの間に吸収ポリマーとを有する吸収シートであり、周辺が接合部で囲まれた、平面視で長軸方向と短軸方向を有する形状の複数のポケットを有し、吸収ポリマーがポケットの長軸方向に移動可能に配されている構造である。
【０００４】
しかし、特許文献１のものは、ポケット内を吸収ポリマーが自由に移動するので、例えば使い捨ておむつにおける、寝返りにより体位を左右に変更する場合の対策としては有効であるとしても、所望の領域、たとえば股間部の吸収能力を高めることに対しては効果的とは考えられない。
【先行技術文献】
【特許文献】
【０００５】
【特許文献１】特許５０７２５５７号公報
【発明の概要】
【発明が解決しようとする課題】
【０００６】
そこで本発明の主たる課題は、製品に適用されたとき、対象領域全体として、吸収能力の過度の偏在を抑制でき、もって吸収能力を高めることにある。
【課題を解決するための手段】
【０００７】
上記課題を解決した本発明の吸収シートは、
第１シートと第２シートとの間にあって、周囲が区画された第１空間領域内に吸収ポリマーが設けられており、
前記第１空間領域に、第１シートと第２シートとの接合による抵抗部が形成されており、前記抵抗部は、前記第１空間領域における吸収ポリマーの重力移動の抵抗を高めているものである。
【０００８】
第１空間領域に、第１シートと第２シートとの接合による抵抗部が形成されており、前記抵抗部は、前記第１空間領域における吸収ポリマーの重力移動の抵抗を高めているものであるから、この吸収シートを着用物品に適用した場合、着用者の姿勢が吸収ポリマーの重力移動をもたらすとしても、抵抗部によりポリマーの重力移動の抵抗が高まるので、重力移動の下方側の一方にポリマーが偏在することを防止でき、第１空間領域全体としてポリマーが分散した状態で体液を吸収できるから、吸収能力の低下を防止できる。
例えば使い捨ておむつの前後方向を、吸収ポリマーの重力移動方向として適用した場合、立位の姿勢では股間部にポリマーが重力移動によって偏在する傾向が生じるが、抵抗部によりポリマーの重力移動の抵抗が高まるので、吸収シート全体で体液を吸収でき、所期の吸収能力の発揮が可能である。
【０００９】
抵抗部は、平面視で第１方向と角度が交差する線状又は点線状とすることができ、また、抵抗部は、第１方向に間隔を置いて複数設けて抵抗部列を構成することができる。
抵抗部を複数設けることにより、抵抗効果が大きくなる。
【００１０】
抵抗部列についても複数列形成することができる。すなわち、第１空間領域内において、第１方向と交差する第２方向に離れて対になった抵抗部列を形成できる。
【００１１】
かかる形態において、一方の抵抗部列の抵抗部の一方の先端と他方の抵抗部列の抵抗部の対向する他方の先端が、前記第１方向に交互に位置して配置され、かつ、一方の抵抗部列の抵抗部の先端と他方の抵抗部列の抵抗部の他方の先端部との間に、吸収ポリマーが通過可能な離間部を形成できる。
その結果、吸収ポリマーは、一方の抵抗部列の抵抗部に沿って下方に移動し、その後、他方の抵抗部列の抵抗部上に乗り移り、他方の抵抗部列の抵抗部に沿って下方に移動する。これを繰り返して、重力作用方向に移動する。
このように移動方向の向きを交互に変えることにより、抵抗部による抵抗効果が大きくなり、ポリマーの偏在防止効果が高くなる。
【００１２】
抵抗部列における前記抵抗部と、第１空間領域の区画部との間に吸収ポリマーが通過可能な離間部を形成できる。
抵抗部における、第１空間領域の区画部側は、吸収ポリマーの移動のデッドゾーンになりがちである。
しかるに、抵抗部と第１空間領域の区画部との間に、吸収ポリマーが通過可能な離間部を形成すると、デッドゾーンの生成を抑制しながら吸収ポリマーの移動を図ることができる。
【００１３】
抵抗部の先端に鈎部を形成すると、その鈎部が吸収ポリマーの移動を抑制できる。
【００１４】
第１空間領域が、前記第１空間領域における吸収ポリマーが重力移動する第１方向と交差する第２方向に、間隔を置いて複数形成されていると、吸収シート全体としての抵抗性が高まる。
すなわち、大きな空間内に抵抗部を設ける場合より、小さな空間を多く形成し、これらの小さな空間に抵抗部を形成することにより、吸収シート全体としての抵抗性が高まる。
【００１５】
本発明は、第１シートと前記第２シートとを直接接合する場合のほか、第１シートと第２シートとの間に、周囲の区画用部材を設け、この区画用部材内が吸収ポリマーの第１空間領域とし、前記第１シートと前記第２シートとを、前記区画用部材を挟んで接合する場合なども含む。
製造方法を考えた場合、例えば第１シートに吸収ポリマーを散布した後、第２シートで覆い、区画用接合を図ることができる。この場合、第１シートと第２シートとの間に吸収ポリマーが介在し、接合を困難にさせる可能性があるのに対し、区画用部材を介在させると、区画用部材により吸収ポリマーの第１空間領域を区画化でき、第１シート及び第２シート相互の結合が容易かつ確実となる利点が期待できる。
【００１６】
上記吸収シートは、透液性シートと不透液性シートとの間に配置して、使い捨て着用物品を構成できる。
【００１７】
この場合、着用物品、例えば使い捨ておむつの前後方向と吸収ポリマーの重力移動方向を一致させると、吸収能力がより高いことが望まれる股間部に吸収ポリマーを移動させることができるので、着用物品としての吸収能力を高めることができる。
【発明の効果】
【００１８】
以上の通り本発明によれば、製品に適用されたとき、対象領域全体として、吸収能力の過度の偏在を抑制でき、もって吸収能力を高めることができる。
【図面の簡単な説明】
【００１９】
【図１】吸収シート全体を示すもので、（ａ）は第１シートを透視して抵抗部を示した平面図、（ｂ）は概略縦断面図、（ｃ）は横断面図である。
【図２】吸収シートの空間領域の平面図である。
【図３】吸収シートの空間領域の平面図である。
【図４】吸収シートの空間領域の平面図である。
【図５】吸収シートの空間領域の平面図である。
【図６】吸収シートの空間領域の平面図である。
【図７】吸収シートの空間領域の平面図である。
【図８】他の態様を示したもので、（ａ）は区画用部材の平面図、（ｂ）は区画用部材を介在させた吸収シートの横断面図である。
【図９】アウター内設置タイプ使い捨ておむつの展開状態の表面側を示す平面図である。
【図１０】アウター内設置タイプ使い捨ておむつの展開状態の裏面側を示す平面図である。
【図１１】図９のＡ−Ａ断面図である。
【図１２】図９のＢ−Ｂ断面図である。
【図１３】図９のＣ−Ｃ断面図である。
【発明を実施するための形態】
【００２０】
上記課題を解決した本発明の吸収シートＡＳの具体例は、図１及び図２に示すように、第１シート１と第２シート２との間にあって、周囲の区画部３により区画された第１空間領域１０内に吸収ポリマーが設けられている。
第１空間領域１０には、例えば不織布からなる第１シート１と例えば不織布又は液不透過性シートからなる第２シート２を例えばホットメルト接着剤により接合した抵抗部４が形成されており、抵抗部４は、第１空間領域１０における吸収ポリマーの重力移動の抵抗を高めているものである。
【００２１】
第１空間領域１０に、第１シート１と第２シート２との接合による抵抗部４が形成されており、図示のように、吸収ポリマー５が、抵抗部４の存在によって、図１の上下方向（第１方向（１））に直線的に重力移動することを抑制又は抵抗するようになっている。
すなわち、吸収ポリマー５は、上下方向（第１方向（１））抵抗部４の列が左右一対形成された、一方の列の抵抗部４に沿って移動し傾斜して流れ、その下流端で、他方の列の抵抗部４に乗り移り、その抵抗部４に沿って上下方向（第１方向（１））に移動する。
このように、傾斜した抵抗部４を交互に渡りながら流れて行く。
【００２２】
抵抗部４は、第１空間領域１０において、直線的な重力移動を阻止し、重力移動方向（第１方向（１））の抵抗体となる。
その結果、この吸収シートを着用物品に適用した場合、着用者の姿勢によって吸収ポリマーの重力移動が生じたとしても、抵抗部によりポリマーの重力移動の抵抗が高まるので、重力移動の下方側の一方にポリマーが偏在することを防止でき、もって、第１空間領域１０全体として吸収ポリマーが過度に偏在することなく分散した状態で体液を吸収できるから、吸収能力の低下を防止できる。
例えば使い捨ておむつの前後方向を、吸収ポリマーの重力移動方向（第１方向（１））（図１の前後方向ＢＦ）として適用した場合、立位の姿勢では股間部にポリマーが重力移動によって集中し偏在する傾向が生じるが、抵抗部４により吸収ポリマーの重力移動の抵抗が高まるので、吸収ポリマーが分散するようになり、吸収シート全体で体液を吸収できるから、所期の吸収能力の発揮が可能である。
【００２３】
抵抗部４は、図面に示すように、平面視で第１方向（１）（図面の上下方向）と角度が交差する線状又は点線状とすることができ、また、抵抗部４は、第１方向（１）に間隔を置いて複数設けて抵抗部列を構成することが特に好ましい。
抵抗部４を複数設けることにより、抵抗効果が大きくなる。
【００２４】
抵抗部の列は複数形成することができる。すなわち、例えば図１に示すように、第１空間領域１０内において、第１方向（１）と交差する第２方向（２）（幅方向ＷＤ）に離れて対になった左右の抵抗部列を形成できる。
【００２５】
かかる形態において、図１及び図２が参照されるように、一方の抵抗部列の抵抗部４の一方の先端と他方の抵抗部列の抵抗部４の対向する他方の先端が、第１方向（１）に交互に位置して配置され、かつ、一方の抵抗部列の抵抗部４の先端と他方の抵抗部列の抵抗部４の他方の先端部との間に、吸収ポリマーが通過可能な離間部Ｓ１（図２参照）を形成できる。
その結果、吸収ポリマーは、一方の抵抗部列の抵抗部４に沿って下方に移動し、その後、他方の抵抗部列の抵抗部４上に乗り移り、他方の抵抗部列の抵抗部４に沿って下方に移動する。これを繰り返して、重力作用方向に移動する。
このように移動方向の向きを交互に変えることにより、抵抗部４による抵抗効果が大きくなり、吸収ポリマーの偏在防止効果が高くなる。
【００２６】
図３（ｂ）に示すように、抵抗部列における前記抵抗部４と、第１空間領域１０の区画部３との間に吸収ポリマーが通過可能な離間部Ｓ２を形成できる。
抵抗部４における、第１空間領域１０の区画部３側では、図３（ａ）に符号Ｓ３で示すような、吸収ポリマーの移動のデッドゾーンを生じがちとなる。
しかるに、抵抗部４と第１空間領域１０の区画部３との間に、吸収ポリマーが通過可能な離間部Ｓ２を形成すると、デッドゾーンの生成を抑制しながら吸収ポリマーの移動を図ることができる。
【００２７】
図３（ｃ）に示すように、抵抗部４の先端に鈎部４ａを形成すると、その鈎部４ａが吸収ポリマーの移動を抑制できる。
【００２８】
図３（ｄ）に示すように、抵抗部４の傾斜角度は、急傾斜の抵抗部４Ａを形成するなど、適宜選択できる。
【００２９】
抵抗部の形状は適宜選定でき、例えば図４（ａ）に示す山形の抵抗部４Ｂ、図４（ｂ）に示す先端部が傾斜した抵抗部４Ｃ、図４（ｃ）に示す円弧の抵抗部４Ｄとすることができる。
【００３０】
所定の面積に対して、一つの第１空間領域１０のみでもよいが、複数設けるのが望ましい。図１〜図７に示すように、第１空間領域１０を、吸収ポリマーが重力移動する第１方向（１）と交差する第２方向（２）に、間隔を置いて複数形成すると、吸収シート全体としての抵抗性が高まる。
すなわち、大きな空間内に抵抗部４を設ける場合より、小さな空間を多く形成し、これらの小さな空間に抵抗部４を形成することにより、吸収シート全体としての抵抗性が高まる。
必要ならば、第１方向（１）に間隔を置いて第１空間領域１０を複数設けることもできる。
【００３１】
図５は、第１空間領域１０を、吸収ポリマーが重力移動する第１方向（１）と交差する第２方向（２）に間隔を置いて複数形成するとともに、境界部６，６により区画された第２空間領域２０を設けたものである。
第２空間領域２０は、第１空間領域１０の移動特性が異なるもので、図示例における第２空間領域２０は、第１方向（１）に境界部６ａにより分離区画されたもので、各区画内に吸収ポリマーが配置されたものである。
図５では、例えば姿勢の変化によって第１空間領域１０での吸収能力の変動が生じるにもかかわらず、第２空間領域２０では吸収能力の変動がない状態で体液を吸収できる。
【００３２】
ところで、図１に示すように、吸収シートを含む使い捨て物品を着用し、着用者の動きにより、吸収シートが第１方向（１）の一方の端部側が下方になるときと、他方の端部側が下方になるときとを繰り返したとしても、図１（ａ）の最も左方の第１空間領域１０に着目してみると、抵抗部４の向きが図示の態様では、吸収ポリマー５は、図面の上側から下側への移動量が多く、図面の下側から上側への移動量が少なくなる現象が生じる（移動量の相違は破線矢印の幅の大小であらわしている。）。
【００３３】
かかる現象を応用できる。例えば、図６に示すように、吸収シートのセンターＣに吸収ポリマーを多く、第１方向（１）の端部は少なく、しかし、センターＣへの過度の偏在は防止したい場合、図６に示す態様は好適である。
すなわち、着用者の股間部が、吸収シートのセンターＣに位置させた状態で着用する場合について次の現象が生じる。
図６の左方から右側にかけての第１空間領域１０，１０…群において、左方の第１空間領域１０では、下方側に吸収ポリマーの集中部Ｄが生じ、続く２番目の第１空間領域１０では、上方側に吸収ポリマーの集中部Ｄが生じ、これが交互に繰り返されると、全体としては、吸収ポリマーが吸収シートのセンターＣに集まる傾向があるが、センターＣに過度に偏在することはなく、吸収シート全体としてはセンターＣを挟んだ上下範囲に分散して集まるから、着用者の股間部全体で体液を吸収できるようになり、吸収能力が高いものとなる。
【００３４】
本発明の抵抗部は、線状のほか、図７の右側に示すように点線状のものでもよい。点の間隔は適宜選定できる。
【００３５】
本発明に係る第１シート１及び第２シート２の少なくとも一方は透液性である。両者を不織布として透液性とすることができる。他方の面は液不透過性のシートでもよい。すなわち各種公知の不織布、フィルムを用いることができる。例えば、スパンボンド不織布、メルトブローン不織布、サーマルボンド（エアスルー）不織布、スパンレース不織布、エアレイド不織布、ＰＥ，ＰＰ等の樹脂フィルム等を用いることができる。
吸収ポリマーの移動性を高めるにはスパンボンドのように長繊維を使用した表面が平滑な不織布が好ましく、移動性を抑えるにはエアスルーのように短繊維を使用した表面がラフな不織布が好ましい。
【００３６】
本実施形態の吸収ポリマーは、第１空間領域１０内で自由に移動し易いように、粒状であることが好ましい。また、吸収ポリマーの平均粒径は、第１シート１と第２シート２を構成する繊維の間又はフィルムのフィラーの間に入らないように、２００μｍ〜５００μｍであることが好ましい。
【００３７】
第１空間領域１０内の吸収ポリマー４の量としては、１０〜１００ｇ／ｍ2であることが好ましい。
【００３８】
吸収ポリマーは、吸収性物品に用いられる各種公知の吸収ポリマーを用いることができる。例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物 、ポリアクリル酸カリウム並びにポリアクリル酸セシウム等がある。
【００３９】
第１シート１及び第２シート２とを接合して区画部を形成する接合方法としては、いずれも公知の接合方法を利用することができる。例えば、超音波エンボス、熱エンボス、接着剤等を利用できる。特に超音波エンボスが好ましい。
【００４０】
接合方法としては、例えば第１シート１に吸収ポリマーを散布した後、第２シート２で覆い、各種の接合方法により区画用接合を図ることができる。
【００４１】
かかる接合方法で、第１シート１と第２シート２との間に吸収ポリマーが介在し、接合を困難にさせる可能性がある場合には、次の態様を使用してもよい。
すなわち、第１シート１と第２シート２とを直接接合する場合のほか、図８に示すように、第１シート１と第２シート２との間に、区画用部材７を設け、この区画用部材７内の切欠部７ａを吸収ポリマーの第１空間領域１０とし、第１シート１と第２シート２とを、前記区画用部材７を挟んで接合する方法も使用できる。
区画用部材７を介在させると、区画用部材７により吸収ポリマーの第１空間領域１０を区画化でき、第１シート１及び第２シート２相互の結合が容易かつ確実となる利点が期待できる。
【００４２】
抵抗部の接合方法としては、例えば、超音波エンボス、熱エンボス、接着剤（例えばホットメルト接着剤）等を利用できる。特に超音波エンボスが好ましい。
【００４３】
本発明に係る吸収シートは、透液性シートと不透液性シートとの間に配置して、使い捨て着用物品を構成できる。
【００４４】
この場合、着用物品、例えば使い捨ておむつの前後方向と吸収ポリマーの重力移動方向を一致させると、吸収能力がより高いことが望まれる股間部に吸収ポリマーを移動させることができるので、着用物品としての吸収能力を高めることができる。
【００４５】
本発明に係る吸収シートを適用する着用物品としては、例えば、テープ式使い捨ておむつなどの展開型の使い捨ておむつ、パンツ型使い捨ておむつ、生理用ナプキン、パンティーライナー、失禁パッド等を挙げることができる。また、布おむつ又は使い捨ておむつなどのアウターの内面に設置して使用するアウター内設置タイプ（パッドタイプ）使い捨ておむつにも好適に用いることができる。
【００４６】
かかるアウター内設置タイプ（パッドタイプ）使い捨ておむつの構造例について説明する。
【００４７】
図９〜図１３は、アウター内設置タイプ（パッドタイプ）使い捨ておむつ（以下「パッドタイプおむつ」と称する）。２００を示している。このパッドタイプおむつ２００は、前後方向中央に対して前側に延在する腹側部分Ｆ１及び後側に延在する背側部分Ｂ１を有するものである。各部の寸法は適宜定めることができ、例えば、物品全長（前後方向長さ）Ｌ１は１５０〜４５０ｍｍ程度、全幅Ｗ１は１２０〜２００ｍｍ程度とすることができる。
【００４８】
パッドタイプおむつ２００は、液不透過性シート２１の内面と、透液性トップシート２２との間に、吸収シートＡＳが介在された基本構造を有している。必要に応じて、吸収シートＡＳはクレープ紙（図示せず）により包むことができる。また、吸収シートＡＳの形状は、相対的に前側の部分が後側の部分よりも幅広な帯状、あるいは長方形状、台形状等、適宜の形状とすることができる。
【００４９】
吸収シートＡＳの裏面側には、液不透過性シート２１が吸収シートＡＳの周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００５０】
液不透過性シート２１の外面（裏面）は、外装シート２５により覆われている。外装シート２５としては各種の不織布を用いることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
この外装シート２５は必要により設けなくともよい。
【００５１】
吸収シートＡＳの表面側は、透液性トップシート２２により覆われている。図示形態では透液性トップシート２２の側縁から吸収シートＡＳが一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００５２】
パッドタイプおむつ２００の前後方向両端部では、外装シート２５および透液性トップシート２２が吸収シートＡＳの前後端よりも前後両側にそれぞれ延在されて貼り合わされ、吸収シートＡＳの存在しないエンドフラップ部ＥＦが形成されている。
【００５３】
パッドタイプおむつ２００の両側部では、液不透過性シート２１が吸収シートＡＳの側縁よりも外側にそれぞれ延在され、この延在部からトップシート２２の側部までの部分の内面にはギャザーシート２４の幅方向外側の部分２４ｘが前後方向全体にわたり貼り付けられ、吸収シートＡＳの存在しないサイドフラップ部ＳＦを構成している。これらを含め、素材の貼り合わせ部分は、ホットメルト接着剤、ヒートシール、超音波シールにより形成でき、図面では斜線模様で示されている。
【００５４】
これらエンドフラップ部ＥＦ及びサイドフラップ部ＳＦ以外の吸収体介在部分が、排泄物を保持する本体部を構成する。
【００５５】
ギャザーシート２４の素材としては、プラスチックシートやメルトブローン不織布を使用することもできるが、肌への感触性の点で、不織布にシリコーンなどにより撥水処理をしたものが好適に使用される。
【００５６】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００５７】
両ギャザーシート２４，２４は、幅方向外側の部分２４ｘが前後方向全体にわたり物品内面（図示形態ではトップシート２２表面および外装シート２５内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図１２に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００５８】
そして、図１０〜図１３に示すように、パッドタイプおむつ２００の外装シート２５の裏面には、粘着剤層３０が設けられ、剥離可能に被覆する剥離シート３１を有する固定部が形成されている。
【００５９】
図示例では、固定部を前後方向に沿って連続的に設けているが、腹側部分Ｆ１及び背側部分Ｂ１のそれぞれに設けたり、いずれか一方のみに設けたりしても良い。固定部を複数設ける場合、腹側部分Ｆ１及び背側部分Ｂ１に各少なくとも一つ設けるのが好ましい。
【符号の説明】
【００６０】
ＡＳ…吸収シート、１…第１シート、２…第２シート、３…区画部、４、４Ａ〜４Ｄ…抵抗部、５…吸収ポリマー、６，６ａ…境界部、（１）…第１方向、（２）…第２方向、ＢＦ…前後方向、ＷＤ…幅方向、１０…第１空間領域、２０…第２空間領域。
【手続補正２】
【補正対象書類名】特許請求の範囲
【補正対象項目名】全文
【補正方法】変更
【補正の内容】
【特許請求の範囲】
【請求項１】
第１シートと第２シートとの間にあって、周囲が区画された第１空間領域の内部に吸収ポリマーが設けられており、
前記第１空間領域に、第１シートと第２シートとの接合による抵抗部が形成されており、前記抵抗部は、前記第１空間領域における吸収ポリマーの重力移動の抵抗を高めているものである、
ことを特徴とする吸収シート。
【請求項２】
前記抵抗部は、平面視で第１方向と角度が交差する線状又は点線状である請求項１記載の吸収シート。
【請求項３】
平面視で第１方向と角度が交差する線状又は点線状の前記抵抗部が、前記第１方向に間隔を置いて複数設けられて抵抗部列が構成され、
前記第１空間領域の内部において、前記第１方向と交差する第２方向に離れて対になった抵抗部列が形成されている請求項１記載の吸収シート。
【請求項４】
一方の抵抗部列の抵抗部の一方の先端と他方の抵抗部列の抵抗部の対向する他方の先端が、前記第１方向に交互に位置して配置され、かつ、一方の抵抗部列の抵抗部の先端と他方の抵抗部列の抵抗部の他方の先端部との間に、吸収ポリマーが通過可能な離間部を有する請求項３記載の吸収シート。
【請求項５】
前記抵抗部列における前記抵抗部と、前記第１空間領域の区画部との間に吸収ポリマーが通過可能な離間部を有する請求項３記載の吸収シート。
【請求項６】
前記抵抗部列における前記抵抗部の先端に鈎部を有する請求項３記載の吸収シート。
【請求項７】
前記第１空間領域が、前記第１空間領域における吸収ポリマーが重力移動する第１方向と交差する第２方向に、間隔を置いて複数形成されている請求項１記載の吸収シート。
【請求項８】
前記第１空間領域の群の前記第２方向の離間部に、周囲が区画された第２空間領域が形成され、前記第２空間領域は、前記第１方向に複数区画されており、各区画領域内に吸収ポリマーが設けられている請求項７記載の吸収シート。
【請求項９】
前記第１シートと前記第２シートとの間に、周囲の区画用部材を設け、この区画用部材内が吸収ポリマーの第１空間領域とされ、前記第１シートと前記第２シートとは、前記区画用部材を挟んで接合されている請求項１記載の吸収シート。
【請求項１０】
請求項１の前記吸収シートが、透液性シートと不透液性シートとの間に配置されていることを特徴とする使い捨て着用物品。
【請求項１１】
前記抵抗部は、平面視で、着用物品の前後方向と角度が交差する線状又は点線状である請求項１０記載の使い捨て着用物品。